(57)【要約】サーフボード（２）または他の長手の物品用のキャリヤ（１）であって、肩紐（３）、ウエストベルト（４）、および保持部（５）を含むキャリヤ。保持部（５）は、下部フラップ（６）を含み、下部フラップはボード（２）の中央部分のまわりを通り、上部フラップ（７）に、スナップロックバックル（８）を介して取付けられてボード（２）を所定の位置に保持する。キャリヤ（１）がボード（２）を運搬しないときは、側面のジッパクロージャ（１９）を使って下部フラップ（６）を袋部に形成し、上部フラップ（７）をバッグのクロージャフラップとして使うことで、汎用バッグに変えられる。ノンスリップの握りパネルおよび／または空気袋が下部フラップ（６）の内側表面に設けられてボード（２）を握持してもよい。空気袋は、肩紐（２）のポンプの圧力制限バルブで制限される最大の圧力をもって膨張されてもよい。
2005529661.tif 000002
【特許請求の範囲】
【請求項１】
長手の物品の個人運搬のためのキャリヤであって、キャリヤは体に装着する紐およびループ状保持部を含み、ループ状保持部は使用中長手の物品の一部のまわりに延在して装置を着用する人の側面で物品を保持するよう構成され、物品の第１の端部は保持部の前方に、物品の第２の端部は保持部の後方に延在し、使用中長手の物品が延在するループ状保持部は袋部を形成するため少なくとも１つの側面に沿って閉じることができる、キャリヤ。
【請求項２】
ループ状保持部の両面は閉じることができる、請求項１に記載のキャリヤ。
【請求項３】
ループ状保持部の１つの側端部または両端部は、ジッパクロージャ装置などのクロージャ要素を１つまたは複数有する、請求項１または２に記載のキャリヤ。
【請求項４】
ループ状保持部は、物品のまわりを通り、ループ状に閉じることのできるフラップパネルを含む、請求項１から３に記載のキャリヤ。
【請求項５】
ループ状保持部は１対のフラップ部を含む、請求項１から４に記載のキャリヤ。
【請求項６】
ループ状保持部は、運搬される物品に対してループ部分を締付ける締付け手段を含む、請求項１から５に記載のキャリヤ。
【請求項７】
ループ状保持部は空気袋要素を含む、請求項１から６に記載のキャリヤ。
【請求項８】
キャリヤは空気袋要素を膨張させるポンプを含む、請求項７に記載のキャリヤ。
【請求項９】
ポンプは球状ポンプである、請求項８に記載のキャリヤ。
【請求項１０】
ポンプはキャリヤの装着用紐に取付けられる、請求項８または９に記載のキャリヤ。
【請求項１１】
ループ状保持部は、ノンスリップ材料の内側表面領域を含む、請求項１から１０に記載のキャリヤ。
【請求項１２】
キャリヤの体に装着する紐は肩紐を含む、請求項１から１１に記載のキャリヤ。
【請求項１３】
キャリヤの体に装着する紐はウエストベルトを含む、請求項１から１２に記載のキャリヤ。
【請求項１４】
キャリヤはレクリエーションボード用のキャリヤである、請求項１から１３に記載のキャリヤ。
【請求項１５】
キャリヤはサーフボード用のキャリヤである、請求項１から１４に記載のキャリヤ。
【請求項１６】
長手の物品の個人運搬のためのキャリヤであって、キャリヤは体用紐および物品保持部を含み、物品保持部は使用中物品の中央部分のまわりに延在して筒状のループ状運搬部を形成するパネル要素を含み、パネル要素の両端部はループ状運搬部が袋部を形成するために少なくとも１つの側面を閉じることができるクロージャ手段を含む、キャリヤ。
【請求項１７】
キャリヤは１対のフラップを含み、フラップは使用中運搬される物品に延在し、互いに締着される、請求項１６に記載のキャリヤ。
【請求項１８】
使用中１つのフラップは運搬される物品の上面端部に延在し、他のフラップは物品の下部端部に延在し、上部フラップは下部のフラップよりも短い、請求項１７に記載のキャリヤ。
【請求項１９】
クロージャ手段は、下部フラップを袋部に形成するよう適合され、上部フラップはバッグ状の構造を提供するための上部クロージャとして作用する、請求項１８に記載のキャリヤ。
【請求項２０】
クロージャ手段は下部フラップの対向する側端部に沿って設けられるクロージャ要素を含む、請求項１９に記載のキャリヤ。
【請求項２１】
ボード用のキャリヤであって、ボード用キャリヤは肩紐および使用中ボードが保持されるループ状運搬部を含み、ループ状運搬部は使用中ボードの中央部分のまわりに延在する長手のパネル要素から形成され、使用中ボードが延在するループ状運搬部は袋部を形成するために少なくとも１つの側面に沿って閉じることができる、ボード用キャリヤ。
【請求項２２】
パネル要素は、主に弾性材料からなり、または弾性の部分を含む、請求項１６から２１のいずれかに記載のキャリヤ。
【請求項２３】
キャリヤは、ボードまたは物品が固定的にループ部分内で保持されることを確実にするための締付け手段を含む、請求項１６から２２のいずれかに記載のキャリヤ。
【請求項２４】
締付け手段は、締付け紐または引き紐、パッド、および／または膨張可能な空気袋のうちいずれか１つまたは複数を含む、請求項２３に記載のキャリヤ。
【請求項２５】
長手の物品用のキャリヤであって、キャリヤは１つまたは複数の装着用紐およびループ状保持部を含み、ループ状保持部は使用中長手の物品の一部のまわりに延在して物品を所定の位置に保持するよう構成され、物品の第１の端部は保持部の前方に、第２の端部は保持部の後方に延在して、使用中長手の物品が延在するループ状保持部は少なくとも１つの側面に沿って閉じられるよう適合され、ループ状保持部が袋状またはバッグ状の構造を形成することができる、キャリヤ。
【請求項２６】
ループ状保持部は、ループ状保持部を袋状またはバッグ状の構造に形成するための１つまたは複数のクロージャ要素を含む、請求項２５に記載のキャリヤ。
【請求項２７】
１つまたは複数のクロージャ要素は、パネル要素の端部に沿って設けられ、ジッパクロージャおよびＶＥＬＣＲＯ（登録商標）からなる群より選択される、請求項２６に記載のキャリヤ。
【請求項２８】
長手の物品用のキャリヤであって、キャリヤは使用中物品が保持されるループ状保持部と、ループ状保持部内に空気袋要素とを含み、空気袋要素はループ状保持部内で膨張可能である、キャリヤ。
【請求項２９】
長手の物品用のキャリヤであって、１つまたは複数の装着用紐およびループ状保持部を含み、ループ状保持部は使用中長手の物品の一部のまわりに延在して物品を所定の位置に保持するよう構成され、物品の第１の端部は保持部の前方に、物品の第２の端部は保持部の後方に延在して、ループ状保持部はノンスリップ材料の内側表面領域を含む、キャリヤ。
【請求項３０】
長手の物品の個人運搬のためのキャリヤであって、キャリヤは体に装着する紐およびル
ープ状保持部を含み、ループ状保持部は使用中長手の物品の一部のまわりに延在して装置を着用する人の側面で物品を保持するよう構成され、物品の第１の端部は保持部から前方に、物品の第２の端部は保持部から後方に延在して、体に装着する紐は肩紐およびウエストベルトの双方を含む、キャリヤ。
【発明の詳細な説明】
【技術分野】
【０００１】
本発明は、長手の物品、特に限定的ではないが、サーフボードなどの長手の運動用具を運搬するためのキャリヤに関する。
【背景技術】
【０００２】
個人がサーフボード、スノーボード、スキーなどの用具、カヤックなど他の長手のスポーツ用具を運搬することは、その形状のために不便で困難である。用具が長時間、ときには長距離にわたって、かつ潜在的に厄介で危険な地域で運ばれなければならない場合は困難が増大する。
【発明の開示】
【発明が解決しようとする課題】
【０００３】
本発明は、このような道具の運搬を容易にするためのキャリヤの提供を目的とする。
【課題を解決するための手段】
【０００４】
ある局面から見て、本発明は、長手の物品の個人運搬のためのキャリヤを提供し、キャリヤは、たとえば肩紐のような体に装着する紐とループ状保持部とを有し、ループ状保持部は使用中長手の物品の一部のまわりに延在するよう構成され、装置を着用する人の側面で物品を保持し、物品の第１の端部は保持部から前方に、物品の第２の端部は保持部から後方に延在する。好ましくは、使用中長手の物品が延在するループ状保持部は、袋部を形成するために少なくとも一つの側面に沿って閉じることができる。
【０００５】
本発明は、たとえばサーフボード、スノーボード、カヤックなどをユーザの肩から下げて運搬する場合に使われ、それにより物品の重量を支持し物品の運搬をより容易にする。
【０００６】
サーフボードなどは、たとえば腰の高さで、ユーザの前方および後方に延在して保持され、それによりユーザがバランスをとって物品を導き／方向付けて、他人などの障害物を適宜避けることができる。
【０００７】
ループ状保持部はいかなる適切な形態でもよく、物品をはめることができる、閉じたループでもよい。しかし好ましい形態では、ループ状保持部は、物品のまわりを通って適切な締着手段によってループ状に閉じる、１つまたは複数のフラップなどを含んでもよい。物品用フラップなどのループ部分は、キャリヤ内に物品を装着するために、たとえばループ部分を物品にかぶせて引張り上げるよりもさらに簡単な機構を提供してもよい。
【０００８】
締着手段は、たとえばバックル、スナップロック、ＶＥＬＣＲＯ（登録商標）ファスナ、引き紐、紐、ボタン、または他の適切な締着要素を含むことができる。
【０００９】
ループ部分は、たとえば主に弾性材料でできていて伸縮性があってもよく、またはガセット（ｇｕｓｓｅｔ）など伸縮性のある部分を含んでもよい。これにより、物品をしっかりと保持要素に保持し、保持要素は物品のまわりで伸びた状態となる。
【００１０】
好ましくはキャリヤは、物品が所定位置に固定的に握持されることを確実にするための締付け手段を含む。これらはたとえば締付け紐または引き紐を含んでもよく、ループ部分のフラップにたとえば１対のフラップを接続するなどの締付け手段を形成してもよい。
【００１１】
物品を握持するための他の構造として、ループ部分はたとえば発泡パッドなどの変形可
能な材料で、ループ部分内で物品の形状に従うものを含んでもよい。
【００１２】
特に好ましい形態では、ループ部分は空気袋要素を含んでもよい。物品がキャリヤ内に収まると、空気袋は物品を掴むように膨張し、物品を所定の位置で保持できる。
【００１３】
空気袋はたとえばループ部分内に装着されてもよく、またはループ部分の材料内に装着されてもよい。
【００１４】
空気袋は締着紐または締付け紐などの調節をする必要を低減し、キャリヤが浮き袋装置、たとえば個人用救命胴衣として使用されることを可能にする。
【００１５】
空気袋は、いかなる適切な態様で膨張されてもよい。ある実施例では、空気袋は空気袋に取付けられた膨張チューブのマウスピースに息を吹込むことによって膨張される。
【００１６】
好ましい実施例では、空気袋はキャリヤに装着されたポンプによって膨張する。ポンプは、たとえば肩紐に装着され、空気袋が何らかの理由で萎んでもユーザが容易にポンプを作動できるようにしてもよい。
【００１７】
空気袋から空気を抜くのにさらにリリース弁が設けられてもよく、これも使用しやすいよう肩紐に装着されてもよい。キャリヤは、空気袋が膨らみすぎてたとえばキャリヤの縫目が弾けるのを防止するため、さらに圧力リリース弁を含んでもよい。
【００１８】
空気袋自体はいかなる適切な形態でもよく、空気袋に特別な形状などを与えるように設計された、個別の、および／または結合された仕切部分を含んでもよい。空気袋の構造は、たとえばレクリエーション用「リロ（ｌｉ−ｌｏ）」に使われるものと同様のものでもよく、たとえばゴム裏のついたキャンパス地でできていてもよい。
【００１９】
ポンプは、たとえば注入口と排出口とに一方通行の弁のある球状部分を有する、簡略な球状ポンプでもよい。ポンプのチューブはキャリヤの上または内部に装着され、たとえば肩紐の生地内にあってもよい。
【００２０】
ループ要素の内側表面は、たとえば、ノンスリップ材料でできたパネル要素などの表面部分を含んでもよい。ノンスリップ材料は、たとえばネオプレンまたはゴムフォームおよびライクラ（登録商標）材料の層でもよい。これはウエットスーツ製品に用いられる材料と類似する。
【００２１】
ノンスリップの内側表面部分を使用することは、たとえばサーフボードなどでよくあるように、保持される物品が滑りやすい表面を有する場合に特に有益である。たとえば、ノンスリップ材料を用いない場合、ループ部分が物品に対して固く結び付けられても、運搬中物品が動くためにループ状保持部内での物品の滑脱を招く。
【００２２】
本発明の他の特に好ましい特徴において、たとえばループ状保持部が使用中筒状部を形成する場合、ループ状保持部の片側または両側が適切なクロージャ手段によって閉じられ、キャリヤがバッグの形態をとってもよい。
【００２３】
この多目的な設計は、サーフボードなどの長手の物品を運搬するため、またはより小さい物品をバッグの構造で運搬するためのいずれにも、キャリヤが使用されることを可能にする。
【００２４】
好ましくはループ部分の両側が閉じており、そのためバッグはサーフボードなどを保持
する場合と同じ配向で使用できる。
【００２５】
好ましくはループ部分は、下部フラップおよび上部フラップを含み、キャリヤは、下部フラップを袋部に形成するためのクロージャ要素、および好ましくは袋部のクロージャを与える上部フラップを含む。
【００２６】
クロージャ手段はいかなる適切な形状をとってもよく、ボタン、ポッパ（ｐｏｐｐｅｒ）、紐などでもよい。好ましくは、クロージャ手段は１つまたは複数のジッパクロージャを含み、ジッパクロージャはループ部分を側面に沿って完全に閉じてもよく、それによりバッグは小さい物品などを運搬するのに使用できる。さらに、ＶＥＬＣＲＯ（登録商標）ファスナなどの代替的なクロージャ手段もさらに可能である。
【００２７】
装着用紐はたとえば肩紐のような適切な形状をとってもよい。肩紐はたとえば単一の幅広の紐を含んでもよい。キャリヤはさらに、または代替的にウエストベルトを含んでもよい。
【００２８】
肩紐およびウエストベルトの組合せにより、運搬する物品の重量がうまく肩および腰に配分され、同時にキャリヤおよび物品を所定の位置に固定的に保持できる。
【００２９】
肩紐、ウエストベルトおよびループ部分の締着手段は、たとえば適切なバックルなどを使って、部分的にまたは完全に調節可能であってもよい。
【００３０】
たとえば空気クッションなどのパッドが肩紐および／またはウエストバンドに設けられてもよい。それは空気袋と類似して膨張可能であってもよく、必要に応じてより良い適合感と保護パッドとを与える。
【００３１】
キャリヤは水筒などの他の付属品を含んでもよい。さらに、ループ状保持部の前部にポケット部分を含んでもよい。
【００３２】
好ましくはキャリヤはループ部分に握りハンドルを含む。これは好ましくは運搬中にハンドルが容易に手に取れるよう位置し、たとえば人ごみ、または他の操作の困難な状況において運搬される物品の「舵取り」を容易にする。握りハンドルはたとえば肩紐の取付け部分の間のループ部分に設けられ、またはたとえば下部フラップの前部などループ部分の前部に設けられてもよい。
【００３３】
本発明のキャリヤはたとえばスポーツ用具など、いかなる適切な長手の物品でも運べるよう構成される。それはたとえばサーフボード、ボディボード、ウインドボードまたはセールボードなどのウォーターボード、同様にスノーボードおよびスケートボードなどの他のレジャー／レクリエーションボードを含む。さらにカヤック、カヌーまたはスキーなどの他の長手の物品に関連して使用できる。さらに、レジャーおよびレクリエーション分野以外の他の分野でも使用でき、たとえば軍事分野および建設分野といった、大きな長手の物品を長距離および／または長時間運搬しなければならない場合に使用可能である。
【００３４】
キャリヤはどのような適切な材料からできていてもよく、たとえば耐久性のある合成キャンバス様の材料から形成されてもよい。寸法は特定の用途に適合するよう変動する。ループ部分の幅はたとえば約２０ｃｍから約６０ｃｍの間で変動し、長さは約８０ｃｍから約１３０ｃｍで変動する。
【００３５】
筒状のループ状保持部の使用は、それ自体、本発明の特定の有利な特徴であり、他の局面から見て、本発明は長手の物品の個人運搬のためのキャリヤを提供するが、キャリヤは
装着用紐、たとえば肩紐および／またはウエスト紐、および物品保持部を含み、物品保持部は、好ましくはフラップのある、使用中に物品の中央部分のまわりに延在して筒状のループ状運搬部を形成するパネル要素を含む。パネル要素の側端部は、ループ状運搬部が袋部を形成するために、少なくとも１つの側面が閉じることができるクロージャ手段を含む。
【００３６】
好ましくは、キャリヤは１対のフラップのあるパネルを含み、フラップは使用中物品のまわりに延在し、互いに締着される。好ましくは、使用中に物品の上部端部に沿って延在するフラップは使用中に物品の下部端部に沿って延在するフラップより短い。さらに好ましくは、下部フラップは、下部フラップを袋部に形成するための側端部に沿ったクロージャ手段を有し、バッグ状の構造を提供する。上部フラップは好ましくは袋部のための上部クロージャとして作用する。
【００３７】
空気袋を設けることは、それ自体が本発明の特に有利な特徴でもあり、他の局面から見ると、本発明は長手の物品のキャリヤを提供し、キャリヤは使用中物品が保持されるループ状保持部と、ループ状保持部内の空気袋要素とを含み、空気袋要素はループ状保持部内で膨張可能である。
【００３８】
本発明は特にサーフボード、スノーボード、スケートボードなどのレクリエーション／レジャーボードに伴う使用に特に適し、他の局面から見ると、本発明はボードキャリヤを提供するが、ボードキャリヤは肩紐、および使用中ボードが保持されるループ状運搬部を含み、ループ状運搬部は、使用中ボードの中央部分のまわりに延在する長手のパネル要素から形成される。使用中ボードが延在するループ状運搬部は、袋部を形成するために少なくとも１つの、好ましくは両方の側面に沿って閉じることができる。
【００３９】
キャリヤは、たとえば自転車のサドルバッグの装着などのように、体に装着して使用する以外の他のハーネス／紐の配置を伴って使用されてもよい。
【００４０】
このように他の局面から見て、本発明は長手の物品のキャリヤを提供し、キャリヤは１つまたは複数の装着紐およびループ状保持部を含み、ループ状保持部は使用中長手の物品の一部のまわりに延在して物品を所定の位置に保持するよう構成され、物品の第１の端部は保持部の前方に、物品の第２の端部は保持部の後方に延在する。好ましくは、長手の物品が使用中延在するループ状保持部は少なくとも１つの側面に沿って閉じるよう適合され、ループ状保持部が袋状またはバッグ状の構造を形成することができる。したがって、好ましくはループ状保持部は、ループ状保持部を運搬用の袋状またはバッグ状の構造に形成するための１つまたは複数のクロージャ要素を含む。
【００４１】
さらに他の局面から見ると、本発明は長手の物品のキャリヤを提供し、キャリヤは使用中物品が保持されるループ状保持部と、ループ状保持部内に空気袋要素とを含み、空気袋要素はループ状保持部内で膨張可能である。
【００４２】
本発明のこれらのさらなる局面は、本発明の第１の、または他のいずれかの局面と関連して上述した他のいかなる特徴をも含み得る。
【発明を実施するための最良の形態】
【００４３】
本発明の実施例が、付随する図面によって例示としてのみ説明される。図面の特徴は本発明の前述の説明の一般性に替わるものではないことが理解されるであろう。
【００４４】
図１および図２を参照すると、個人用の、体に装着する、サーフボード（２）用キャリヤ（１）は、肩紐またはサッシュ（３）、ウエストベルト（４）、およびループ状保持部
（５）を含む。
【００４５】
保持部（５）は、第１の長手の下部フラップ（６）およびより短い第２上部フラップ（７）を含み、それらはスナップロック（８）などの１対の簡易締着手段を介して互いに結合し、スナップロック（８）は帯紐（９）および（１０）に取付けられた雄部および雌部（８ａ，８ｂ）を有する。
【００４６】
使用中、第１の長手のフラップ（６）は図２に示すようにサーフボード（２）の中央本体部の周囲に巻付き、１対のスナップロック（８）によって第２のフラップ（７）に締着される。スナップロックの雄部（８ａ）の帯紐（９）はきつく引張られ、サーフボード（２）が所定の位置に固定的に保持されて、帯紐（１０）およびスナップロックの雌部（８ｂ）は下部フラップ（６）の前部のガイドループ（１１）を介してねじ込まれ、フラップ（６，７）およびスナップロック（８）を所定の位置に保つ。
【００４７】
握持を容易にするため、第１の長手のフラップ（６）はノンスリップのパネル部材（１２）を内側表面（１３）の上に装着し、サーフボード（２）の滑らかな表面を握持する。パネル部材（１２）は、たとえばネオプレンまたはゴムフォームおよびライクラ（登録商標）材料の層などウエットスーツの材料でできていてもよい。
【００４８】
キャリヤ（１）が一旦サーフボード（２）の上の所定の位置で締着されると、ユーザはボード（２）を持上げ、頭部越しに肩紐（３）を反対の肩に装着することができる。ユーザは次にベルトバックル（１４）を用いてウエストベルト（３）を着用してもよい。
【００４９】
ユーザは肩紐（３）およびウエストベルト（４）を必要に応じて、適切な調節バックル（１５，１６）で調節することができ、それにより保持部（５）およびサーフボード（２）はユーザの側面あたりにあり、ボード（２）はユーザの前方および後方に延在する。
【００５０】
このように、キャリヤ（１）は、ユーザがボード（２）を両手の自由な、コントロールされた状態で運搬することを可能にする。ユーザは姿勢を真直ぐに保ってバランスをとり、ボード（２）を導いて障害物などを避けることができる。さらに、ボード（２）の重量はユーザの肩およびウエストで支えられ、負荷を分散できる。ユーザはこのように長距離および／または長時間、ボードを比較的快適に安全に運搬することができる。キャリヤ（１）は特に、たとえば困難な地域においてボードを運搬するのに適する。
【００５１】
図１を再度参照すると、下部フラップ（６）は前部パネルおよび後部パネル（１７，１８）に分けられ、これらのパネルの各側端部に沿ってジッパクロージャ（１９）が延在する。ジッパクロージャ（１９）は、キャリヤ（１）がサーフボード（２）などの運搬に使用されていないとき、下部フラップ（６）の側端部をジッパで閉じて、それにより前部パネルおよび後部パネル（１７，１８）が袋部を形成することでキャリヤ（１）がキャリーバッグ／ボストンバッグに変わることができるよう構成される。これによりキャリヤ（１）はボードキャリヤから汎用バッグへと変わる。
【００５２】
キャリヤ（１）は、サーフボードを吊り下げるような態様で運搬できる、サーフボードの付属品として考えることもでき、サーフボードを取去るとキャリヤバッグに変えられる。
【００５３】
キャリヤ（１）は、たとえば財布、小銭などのための前部ジップアップポケット（２０）、およびウエストバンド（４）のためのパッド（２１）を含んでもよい。パッド（２１）は、保持部（４）の反対側、すなわちユーザのウエストに最も圧力のかかる場所に位置する。
【００５４】
キャリヤ（１）は握りハンドル（２２）をさらに含み、それによりキャリヤ（１）およびボード（２）を素早く容易に、短距離の運搬および一般的取り扱いのために持上げることができる。握りハンドル（２２）は、ボードなどを運搬する際容易に手に取れる場所に位置し、たとえば人ごみ、または他の操作の困難な状況においてボードを導くことを助ける。図面では肩紐（３）の取付け部の間に示されるが、代わりにたとえばポケット（２０）に隣接して下部フラップ（６）の前部に設けられてもよい。
【００５５】
キャリヤ（１）はさらに伸縮性のあるループ（２３）を下部フラップ（６）の上部端部の両側に含む。これらはたとえばボードまたは筒状の構造物より幅の小さい他の物品、たとえば釣竿（２４）などを保持部（５）内の所定の位置に保持するために使用される。ループ（２３）はループ状保持部（５）を引張り、物品をキャリヤ内に入れるときに下部フラップ（６）を操作するために使われることができる。
【００５６】
明らかに他の物品も、フラップ（６，７）が互いに物品に締着できる限り、さらに保持部（５）に収納できる。
【００５７】
キャリヤ（１）には、さらに他の付属品を設けることができる。たとえば、ループ状保持部（５）の前後に延在するボードの部分をカバーするために引出せる、内蔵型ボード用保護カバーを含んでもよい。これらのカバーは使用しないときはキャリヤ（１）内に丸めて収納できる。
【００５８】
図３は、本発明の第２の実施例を、第１の実施例と類似の特徴については同じ参照番号を付して示す。
【００５９】
この第２の実施例では、ノンスリップパネル部（１２）は空気袋（２５）で代替されるが、空気袋（２５）の表面はさらに同様のノンスリップ材料などからできているか、または含んでもよい。
【００６０】
空気袋（２５）は、肩紐（３）にある球状ポンプなどのポンプ（２６）によって膨張されてもよく、同じく肩紐（３）にあるリリース弁ボタン（２７）によって空気を抜くことができる。空気チューブ（２８）は空気袋（２５）をポンプ（２６）およびリリース弁ボタン（２７）に接続し、肩紐（３）の中に縫込まれてもよい。
【００６１】
フラップ（６，７）が一旦サーフボードに締着されると、空気袋（２５）はボードを所定の位置に固定的に握持するようポンプ（２６）を使って膨張され、ボードを取除くことができるようリリースボタン（２７）を使って空気を抜くこともできる。示されていないが、空気袋（２５）は膨張しすぎるのを防止するための圧力リリース弁を含んでもよい。
【００６２】
空気袋（２５）は、帯紐（９）および（１０）の調節の必要性を低減し、サーフボード（２）を確実に握持し、１つのサイズですべてに適合する多様性を提供する。さらに空気袋は、緊急時にキャリヤ（１）を浮き袋装置として使用できるようにし、キャリヤ（１）が通常のバッグとして使用される場合は空気を抜くことができる。
【００６３】
この実施例はさらに、伸縮性のあるボトル保持部（２９）があるウエストベルト（４）と、快適性のため肩紐（３）にある空気クッション（３０）とを示す。
【００６４】
上記実施例のキャリヤ（１）はいかなる適切な材料でできていてもよく、たとえば耐久性のある合成キャンバス様の材料でもよい。さらに、ループ部分はたとえば幅約２０ｃｍから約６０ｃｍの間、長さは約８０ｃｍから約１３０ｃｍの間などの、いかなる適切なサ
イズでもよい。
【００６５】
前述の部分について、多様な交替、追加および／または変形が本発明の範囲を逸脱することなく可能であることが理解されるであろう。
【００６６】
キャリヤは、特に長手のスポーツまたはレジャー用品など、いかなるタイプの長手の物品の運搬にも使用でき、サーフボードには限定されない。事実、キャリヤ（１）はレジャー以外の分野、たとえば軍事分野または建設分野において、軍事用または建設用物品または材料の運搬に使用可能である。キャリヤはこのような目的に必要な寸法であってもよい。
【００６７】
上部および下部フラップ（７，６）の締着は、たとえば他のバックル構造、紐、ＶＥＬＣＲＯ（登録商標）ファスナなどの他の適切な形状をとってもよく、運搬される物品のまわりにフラップ（６，７）を締付けるのに引き紐などが使われてもよい。
【００６８】
空気袋（２５）およびノンスリップパネル（１２）は取外し可能で、たとえばＶＥＬＣＲＯファスナ（登録商標）などで所定の位置に保持されてもよい。ポンプ（２６）の代わりに、空気袋（２５）はマウスピースを有するチューブによって単に膨張されてもよい。
【００６９】
さらに保持部（５）は、空気袋の代わりに、たとえば発泡フォームなどの、バッグへの変形を可能にするため取外しができる、変形可能な材料を含んでもよい。
【００７０】
保持部は、１対のフラップの代わりに、使用中ボードまたは他の物品をはめることができる、閉じたループを含んでもよい。
【００７１】
保持部（５）は伸縮性があってもよい。保持部はさらに、体に装着して使う以外のハーネス／紐の配置を伴ってもよく、たとえば自転車のサドルバッグの装着などでもよい。
【００７２】
フラップがパネルの形状をとる代わりに、たとえばいくつかの個別のループ状紐の形状をとってもよい。さらにループ部分は、たとえばウエスト紐のみ、または肩紐のみを含んでもよい。当然、キャリヤ（１）はボードなどをユーザの左側または右側で運搬するために構成されてもよい。
【図面の簡単な説明】
【００７３】
【図１】本発明の第１の実施例による、キャリヤの斜視図である。
【図２】サーフボードに装着された、図１のキャリヤの斜視図である。
【図３】本発明の第２の実施例による、キャリヤの斜視図である。
【図１】
2005529661.tif 000003
【図２】
2005529661.tif 000004
【図３】
2005529661.tif 000005
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
長手の物品の個人運搬のためのキャリヤであって、キャリヤは体に装着する紐およびループ状保持部を含み、ループ状保持部は使用中長手の物品の一部のまわりに延在して装置を着用する人の側面で物品を保持するよう構成され、物品の第１の端部は保持部の前方に、物品の第２の端部は保持部の後方に延在し、使用中長手の物品が延在するループ状保持部は袋部を形成するため少なくとも１つの側面に沿って閉じることができる、キャリヤ。
【請求項２】
ループ状保持部の両面は閉じることができる、請求項１に記載のキャリヤ。
【請求項３】
ループ状保持部の１つの側端部または両端部は、ジッパクロージャ装置などのクロージャ要素を１つまたは複数有する、請求項１または２に記載のキャリヤ。
【請求項４】
ループ状保持部は、物品のまわりを通り、ループ状に閉じることのできるフラップパネルを含む、請求項１から３のいずれかに記載のキャリヤ。
【請求項５】
ループ状保持部は１対のフラップ部を含む、請求項１から４のいずれかに記載のキャリヤ。
【請求項６】
ループ状保持部は、運搬される物品に対してループ部分を締付ける締付け手段を含む、請求項１から５のいずれかに記載のキャリヤ。
【請求項７】
ループ状保持部は空気袋要素を含む、請求項１から６のいずれかに記載のキャリヤ。
【請求項８】
キャリヤは空気袋要素を膨張させる膨張手段を含む、請求項７に記載のキャリヤ。
【請求項９】
ループ状保持部は、ノンスリップ材料の内側表面領域を含む、請求項１から８のいずれかに記載のキャリヤ。
【請求項１０】
キャリヤの体に装着する紐は肩紐およびウエストベルトを含む、請求項１から９のいずれかに記載のキャリヤ。
【請求項１１】
キャリヤはレクリエーションボード用のキャリヤまたはサーフボード用のキャリヤである、請求項１から１０のいずれかに記載のキャリヤ。
【請求項１２】
長手の物品の個人運搬のためのキャリヤであって、キャリヤは体用紐および物品保持部を含み、物品保持部は使用中物品の中央部分のまわりに延在して筒状のループ状運搬部を形成するパネル要素を含み、パネル要素の両端部はループ状運搬部が袋部を形成するために少なくとも１つの側面が閉じることができるクロージャ手段を含む、キャリヤ。
【請求項１３】
キャリヤは１対のフラップを含み、フラップは使用中運搬される物品に延在し、互いに締着される、請求項１２に記載のキャリヤ。
【請求項１４】
使用中１つのフラップは運搬される物品の上面端部に延在し、他のフラップは物品の下部端部に延在し、上部フラップは下部のフラップよりも短い、請求項１３に記載のキャリヤ。
【請求項１５】
クロージャ手段は、下部フラップを袋部に形成するよう適合され、上部フラップはバッグ状の構造を提供するための上部クロージャとして作用し、クロージャ手段は下部フラップの対向する側端部に沿って設けられるクロージャ要素を含む、請求項１４に記載のキャリヤ。
【請求項１６】
ボード用のキャリヤであって、ボード用キャリヤは肩紐および使用中ボードが保持されるループ状運搬部を含み、ループ状運搬部は使用中ボードの中央部分のまわりに延在する長手のパネル要素から形成され、使用中ボードが延在するループ状運搬部は袋部を形成するために少なくとも１つの側面に沿って閉じることができる、ボード用キャリヤ。
【請求項１７】
パネル要素は、主に弾性材料からなり、または弾性の部分を含む、請求項１２から１６のいずれかに記載のキャリヤ。
【請求項１８】
キャリヤは、ボードまたは物品が固定的にループ部分内で保持されることを確実にするための締付け手段を含み、締付け手段は、締付け紐または引き紐、パッド、および／または膨張可能な空気袋のうちいずれか１つまたは複数を含む、請求項１２から１７のいずれかに記載のキャリヤ。
【請求項１９】
長手の物品用のキャリヤであって、キャリヤは１つまたは複数の装着用紐およびループ状保持部を含み、ループ状保持部は使用中長手の物品の一部に延在して物品を所定の位置に保持するよう構成され、物品の第１の端部は保持部の前方に、第２の端部は保持部の後方に延在して、使用中長手の物品が延在するループ状保持部は少なくとも１つの側面に沿って閉じられるよう適合され、ループ状保持部が袋状またはバッグ状の構造を形成することができる、キャリヤ。
【請求項２０】
ループ状保持部は、ループ状保持部を袋状またはバッグ状の構造に形成するための１つまたは複数のクロージャ要素を含み、１つまたは複数のクロージャ要素は、パネル要素の端部に沿って設けられ、ジッパクロージャおよびＶＥＬＣＲＯ（登録商標）からなる群より選択される、請求項１９に記載のキャリヤ。
【請求項２１】
長手の物品用のキャリヤであって、キャリヤは使用中物品が保持されるループ状保持部と、ループ状保持部内に空気袋要素とを含み、空気袋要素はループ状保持部内で膨張可能である、キャリヤ。
【請求項２２】
長手の物品用のキャリヤであって、１つまたは複数の装着用紐およびループ状保持部を含み、ループ状保持部は使用中長手の物品の一部のまわりに延在して物品を所定の位置に保持するよう構成され、物品の第１の端部は保持部の前方に、物品の第２の端部は保持部の後方に延在して、ループ状保持部はノンスリップ材料の内側表面領域を含む、キャリヤ。
【請求項２３】
長手の物品の個人運搬のためのキャリヤであって、キャリヤは体に装着する紐およびループ状保持部を含み、ループ状保持部は使用中長手の物品の一部のまわりに延在して装置を着用する人の側面で物品を保持するよう構成され、物品の第１の端部は保持部から前方に、物品の第２の端部は保持部から後方に延在して、体に装着する紐は肩紐およびウエストベルトの双方を含む、キャリヤ。
【手続補正２】
【補正対象書類名】明細書
【補正対象項目名】００４８
【補正方法】変更
【補正の内容】
【００４８】
キャリヤ（１）が一旦サーフボード（２）の上の所定の位置で締着されると、ユーザはボード（２）を持上げ、頭部越しに肩紐（３）を反対の肩に装着することができる。ユーザは次にベルトバックル（１４）を用いてウエストベルト（４）を着用してもよい。
【国際調査報告】
2005529661.tif 000006
2005529661.tif 000007
2005529661.tif 000008
2005529661.tif 000009